(57)【要約】【課題】  従来の古紙の収納や結束梱包の方法では、非能率的で労力を要するため、容易に梱包し搬出できる方法や構造の古紙収納結束器を提供する。【解決手段】  中空立方体の収納器の各側板の中央部に、上端から底板に達する溝を作り、古紙を収納する前に予め対面する溝を貫通し底板に這わせて紐を通し、収納完了後にその紐で結束する。  収納器の底板は、対面する溝を結ぶ位置や相隣の溝を結ぶ位置で分割され、両者を蝶番類で継合し、結束された古紙を取り出す時に収納器の上端を蝶番を支点に開口して、取出し抵抗を小さくする。  また、収納器の各側板にガイドを設け、古紙を収納する前に１本の紐をガイドや溝を利用して順次渡しておき、結束時に各ガイドから外して十文字に結束できるようにした。【選択図】   図１
2007069921.tif 000002
【特許請求の範囲】
【請求項１】
古紙５を積み重ねて収納した後で、結束して取り出すために、開口した中空直方体の収納器１の側板２ａ・２ｂ・２ｃ・２ｄの中央部に上端６ａ・６ｂ・７ａ・７ｂ・８ａ・８ｂ・９ａ・９ｂから底板３に達する溝４ａ・４ｂ・４ｃ・４ｄを設け、古紙５を収納する前に対面する側板２ａの溝４ａと側板２ｃの溝４ｃ間や側板２ｂの溝４ｂと側板２ｄの溝４ｄ間に底板３に這わせて結束用の紐２０を通すようにし、しかも対面する側板２ｂの溝４ｂと側板２ｄの溝４ｄ間を結ぶ位置で底板３を分割したり、隣接する溝４ａと溝４ｂ間・溝４ｂと溝４ｃ間・溝４ｃと溝ｄ間・溝４ｄと溝４ａ間を結ぶ位置で底板３を分割し、分割された底板どうしを継合するとともに屈曲可能にした手段を装備して、収納器１の上端６ａ・９ｂ・９ａ・８ｂと上端６ｂ・７ａ・７ｂ・８ａが開口するようにしたり、または上端９ｂと上端６ａ・上端７ａと上端６ｂ・上端７ｂと上端８ａ・上端８ｂと上端９ａが、それぞれ個々に底板３を分割して継合した部分を支点に上端を開口するようにし、さらに古紙５を収納中は、分割された各部を閉口状態で固定し、古紙５を結束して取り出す時に、固定を解除して上端を開口する手段を設けた古紙収納結束器。
【請求項２】
収納器１の外面に挟持具１０と収納器１の上端６ａ・７ｂ・８ａや底板３や溝４ａ・４ｂ・４ｃ・４ｄに近接して沿わせたガイド１１．１２．１３。１４．１５．１６．１７．１８を固設し、古紙５を収納する前に予め結束用の紐２０ａを仕掛けて準備するため、先ず紐２０ａの端部を挟持具１０に挟持させ、次に、ガイド１１の上部に掛け、さらにガイド１２の下部に掛けてから溝４ａに通し、底板３の上面に這わせてから溝４ｃを通ってガイド１３の下部に渡し、さらにガイド１４の上部に掛け、次に側板２ｃの上端７ｂと側板２ｄの上端８ａに沿ってからガイド１５の上部に掛け、次にガイド１６の下部に掛けてから、溝４ｄを経て底板３の上面に這わせ、溝４ｂに通すと共に、ガイド１７の下部に掛け、更にガイド１８の上部に掛けて挟持具１０に至らせ、先に挟持具１０に挟持させた紐２０ａの端とで仮に継結させておき、収納を完了後に該各ガイドから紐２０ａを外して、古紙５を結束することを特徴とする請求項１に記載の古紙収納結束器。
【発明の詳細な説明】
【技術分野】
【０００１】
本発明は、新聞紙．雑誌．書籍．広告紙．コピ−用紙などの古紙を収納して容易に結束し、搬出するようにした古紙収納結束器に関する。
【背景技術】
【０００２】
従来、新聞紙．雑誌などの古紙は、順次収納袋に入れ、後で紐で結束したり、一度収納具に投入して一定量に達すると、取り出して結束し搬出しているが、古紙類は集積すると重く、紐を集積紙の下に通すのが困難であった。
【０００３】
収納具に収納に先立ち、結束用の紐を仕掛ける方法を採用しているものもあるが、紐を仕掛ける方法が困難であったり、結束した古紙を収納具から取り出す時に古紙と収納具の摩擦抵抗で、取り出しが困難であった。
【特許文献１】特開２００４−２０３４１０
【発明の開示】
【発明が解決しようとする課題】
【０００４】
従来の古紙の収納や結束梱包や取り出し方法では、手数が掛かったり作業が困難であって、非能率であった。
【０００５】
本発明は、これらの問題を解決し、容易に収納．結束．取り出しができる方式や構造を提供することを目的としている。
【課題を解決するための手段】
【０００６】
上記目的を達成するために、本発明の古紙収納結束器は、開口した中空直方体の各側板の中央部に、上端から底板に達する溝を設け、古紙を収納する前に予め結束用の紐を溝を利用して準備しておく方法であって、結束に必要な長さの紐を用意し、対面るる側板の溝に通して底板に這わせておき、結束するときに溝から外して結束するのである。
【０００７】
また、収納器から結束した古紙を取り出す時には、収納器の上端を開口させることによって抵抗なく取り出せるようにする。
【０００８】
また、結束用の紐を２本用意し、対面する溝に通して底板に這わせておき、縦．横に別々にして十文字に結束する方法と、１本の紐を予め各側板に設けたガイドに掛けておき、後で引き出して結束するようにした。
【０００９】
各説明における「上端の開口」とは、直方体の状態から上端が口を広げることを意味する
【発明の効果】
【００１０】
上記したように本発明の古紙収納結束器は、次のような効果を発揮する。
【００１１】
つまり、古紙を収納する前に、予め簡単に結束用の紐を収納器の底板に這わせて配置しておくことができるのと、結束時に古紙を持ち上げる操作もないので、荷崩れもなく労力を要しないし、古紙を無造作に収納器に投入しても収納器の内面に規制され、直方体で取り出すことができる。
【００１２】
古紙を無造作に投入すると結束して取り出す時に、収納器の内面との摩擦抵抗を受けて取り出しが困難になるが、本発明では収納器の上端を開口させることによって、容易に取り出しができる。
【００１３】
また、側板に設けた溝を利用して、予め底板に結束用の紐を這わせるために、２本の紐で縦．横の十文字に別個に結束したり、溝とガイドを利用することにより、１本の紐で結束が可能であり、古紙や紐の種類によって何れかを選択できる。
【発明を実施するための最良の形態】
【００１４】
以下、本発明の実施例の第一の形態を図１から図７に基づいて説明する。
【実施例１】
【００１５】
図１は、結束した古紙５を取り出す機能を主体にして説明する古紙収納結束器の斜視図であって、開口した中空直方体の収納器１の各側板２ａ．２ｂ．２ｃ．２ｄの中央部に各上端６ａ．６ｂ．７ａ．７ｂ．８ａ．８ｂ．９ａ．９ｂから底板３に達する溝４ａ．４ｂ．４ｃ．４ｄを設け、また、対面する溝４ｂと溝４ｄを結ぶ位置で底板３を分割し、つまり底板３の中央の位置で収納器１を２分割し、２分割された収納器１を底板３の位置で蝶番２３で継合して、結局は収納器１の側板２ａと側板２ｃが蝶番２３を支点に開閉自在になっているが、古紙を収納中は側板２ｄと２ｂの双方に装備したフック２１とフック止２２を継合させ、収納器１の上端の開口を抑止している。
【００１６】
古紙５の収納に先立ち、フック２１とフック止２２を継合した状態にしてから、結束に必要な長さの紐２０を対面する側板２ａの溝４ａと側板２ｃの溝４ｃに底板３を這うように貫通させ、同様に側板２ｂの溝４ｂと側板２ｄの溝４ｄに貫通しておき、収納完了後これらの紐２０で結束する。
【００１７】
図２は、古紙５を収納中の状態を示し、分割され底板３において蝶番２３で継合された収納器１を、フック保時具２５を回動するフック２１がフック止２２に継合し、収納器１の上端６ｂ．７ａ．７ｂ．８ａ側と上端６ａ．８ｂ．９ａ．９ｂ側の開閉を抑止している。  
【００１８】
図３は、古紙５を結束し、収納器１から取り出す時の状態を示し、フック２１をフック止２２から外すことにより上端６ｂ．７ａ．７ｂ．８ａ側と上端６ａ．８ｂ．９ａ．９ｂ側が台板２４を支点とし、蝶番２３を屈曲させて開口し、収納器１の内面と結束した古紙５との接触面が減少することにより、抵抗なく古紙５を取り出しできる。
【００１９】
図４は、収納器１の２分割の構造と継合状態を示し、底板３の裏側から視た斜視図であって、２分割された収納器１は、蝶番２３で継合され開閉を可能にしているが、継合方法はこの方法に限定するものではない。
【００２０】
図５は、２分割された収納器１の開閉を抑止する手段を詳細に示したもので、フック保持具２５に嵌合されたフック２１をフック止２２に継合して、収納器１の開閉を抑止したり、解除して開閉を自在にするようにしている。
【００２１】
結束の方法として、図１に示すように、結束に必要な長さの２本の紐２０を用意し、先ず収納器１の対面する側板２ａの溝４ａと側板２ｃの溝４ｃを貫通し、底板３に這わすように通し、同様に側板２ｂの溝４ｂと側板２ｄの溝４ｄを貫通し、底板３に這わして通して、古紙５を縦．横別個に結束する方法と１本の紐２０ａで結束する方法とがある。
【００２２】
図６は、１本の紐２０ａで結束する方法と構造を示す斜視図であり、収納器１の側板２ａの外面の端に挟時具１０を設け、さらに、上端６ａ．７ｂ．８ａ．９ｂや溝４ａ．４ｂ．４ｃ．４ｄや底板３に近接して沿わせてガイド１１．１２．１３．１４．１５．１６．１７．１８を固設し、古紙５を収納する前に予め結束用の紐２０ａを順次各ガイド１１．１２．１３．１４．１５．１６．１７．１８間に掛け、収納完了後に外して該紐２０ａで結束梱包すのである。
【００２３】
先ず、挟持具１０に紐２０ａを結束に必要な長さを残した位置で挟持させてから、ガイド１１の上部にかけ、次にガイド１２の下部に渡して溝４ａに通し、底板３の上面に這わせて溝４ｃに通してからガイド１３の下部に掛け、さらに、ガイド１４に掛けてから側板２ｃの上端７ｂと側板２ｄの上端８ａに沿わせてガイド１５の上部に掛ける。
【００２４】
次に、ガイド１５からガイド１６の下部に掛け、溝４ｄに通して底板３の上面に這わせ、対面する溝４ｂに通してガイド１７の下部に掛け、さらにガイド１８の上部に掛けてから上端６ａに沿って挟持具１０に至り、次に最初に挟持具１０に挟んであった紐２０ａの端を引き出して、ガイド１１．１２．１３．１４．１５．１６．１７．１８に掛け終えた紐２０ａの端とで仮に結束しておき、古紙５の収納結束時には、図７に示すようにガイド１１．１２．１３．１４．１５．１６．１７．１８から外して十文字に結束するのである。
【実施例２】
【００２５】
図８．図９．図１０は、収納器１の相隣の側板に設けた溝を結ぶ位置で底板３を分割し、収納器１の上端を開口する構造を示しており、溝４ａと溝４ｄを結ぶ位置で底板３を分割して蝶番２７で継合し、台番２６を固定点として、蝶番２７を支点に上端９ａと上端８ｂの部分が開口するようにし、同様に溝４ａと溝４ｂ．溝４ｂと溝４ｃ．溝４ｃと溝４ｄを結ぶ位置で底板３を分割し、蝶番２７で継合し、古紙５を収納中は側板２ａに設けたフック２１とフック止２２の継合と側板２ｄに設けたフック２１とフック止２２の継合により、上端８ｂと上端９ａ側の開口を抑止している。
【００２６】
同様に、側板２ｂに設けたフック２１とフック止２２の継合や側板２ｃに設けたフック２１とフック止２２の継合により開口を抑止し、結束した古紙５を取り出す時に、各フック２１とフック止２２の継合を解除して、上端８ｂと上端９ａ側や上端９ｂと上端６ａ側や上端６ｂと上端７ａ側や上端７ｂと上端８ａ側を開口することにより、結束した古紙５の取り出しを容易にする。
【図面の簡単な説明】
【００２７】
【図１】本発明の古紙収納結束器の斜視図であって、結束した古紙を取り出すための機能を主体にした説明図である。
【図２】古紙を収納中の状態を示す正面図である。
【図３】結束した古紙を収納器から取り出す時の状態を示す正面図であって、一部を断面図で示す。
【図４】収納器の２分割の構造を示す斜視図である。
【図５】２分割された収納器の開閉を抑止する構造を示す機構図である。
【図６】１本の紐で結束するために、収納前に予め準備する方法と構造を示す機構図である。
【図７】収納前に予め準備された１本の紐で結束する方法を示す見取図である。
【図８】相隣する溝間の位置で底板を分割して、開口する構造を示し、古紙を収納するときの状態を示す見取図である。
【図９】相隣する溝間の位置で底板を分割し、開口させる構造であって、結束した古紙を取り出す時に開口する状態を示す見取図である。
【図１０】相隣する溝間の位置で底板を分割し、開口させる構造における底板部分の裏面の斜視図である。
【符号の説明】
【００２８】
１      収納器
２ａ    側板
２ｂ    側板
２ｃ    側板
２ｄ    側板
３      底板
４ａ    溝
４ｂ    溝
４ｃ    溝
４ｄ    溝
５      古紙
６ａ    上端
６ｂ    上端
７ａ    上端
７ｂ    上端
８ａ    上端
８ｂ    上端
９ａ    上端
９ｂ    上端
１０     挟持具
１１     ガイド
１２     ガイド
１３     ガイド
１４     ガイド
１５     ガイド
１６     ガイド
１７     ガイド
１８     ガイド
２０     紐
２０ａ   紐
２１     フック
２２     フック止
２３     蝶番
２４     台板
２５     フック保持具
２６     台板
２７      蝶番
【図１】
2007069921.tif 000003
【図２】
2007069921.tif 000004
【図３】
2007069921.tif 000005
【図４】
2007069921.tif 000006
【図５】
2007069921.tif 000007
【図６】
2007069921.tif 000008
【図７】
2007069921.tif 000009
【図８】
2007069921.tif 000010
【図９】
2007069921.tif 000011
【図１０】
2007069921.tif 000012
【手続補正書】
【提出日】平成18年3月9日(2006.3.9)
【手続補正１】
【補正対象書類名】特許請求の範囲
【補正対象項目名】請求項１
【補正方法】変更
【補正の内容】
【請求項１】
古紙５を積み重ねて収納した後で、結束して取り出すために、上面を開口した中空直方体の収納器１の側板２a・２ｂ・２ｃ・２ｄの中央部に上端６a・６ｂ・７a・７ｂ・８ a・８ｂ・９a・９ｂから底板３に達する溝４a・４ｂ・４ｃ・４ｄを設け、古紙５を収納する前に予め、対面する側板２a の溝４aと側板２ｃの溝４ｃ間や側板２ｂの溝４ｂと側板２ｄの溝４ｄ間に底板３に這わせて結束用の紐２０を通し、古紙５を十文字に結束するようにした収納器において、対面する側板２ｂの溝４ｂと側板２ｄの溝４ｄ間を結ぶ位置で底板３を分割したり、隣接する溝４aと溝４ｂ間・溝４ｂと溝４ｃ間・溝４ｃと溝４ｄ間・溝４ｄと溝４a間を結ぶ位置で底板３を分割し、分割された底板どうしを継合するとともに屈曲可能にする手段を装備して、収納器１の上端６a・９ｂ・９a・８ｂと上端６ｂ・７a・７ｂ・８aが開口するようにしたり、又は上端９ｂと上端６a・上端７aと上端６ｂ・上端７ｂと上端８a・上端８ｂと上端９aが、それぞれ個々に底板３を分割して継合した部分を支点に上端を開口するようにし、さらに古紙５を収納中は、分割された各部を閉口状態で固定し、古紙５を結束して取り出す時に、固定を解除して上端を開口する手段を設けた古紙収納結束器。
【手続補正２】
【補正対象書類名】明細書
【補正対象項目名】００２４
【補正方法】変更
【補正の内容】
【００２４】
次に、ガイド１５からガイド１６の下部に掛け、溝４ｄに通して底板３の上面に這わせ、対面する溝４ｂに通してガイド１７の下部に掛け、さらにガイド１８の上部に掛けてから上端６aに沿って挟持具１０に至り、次に最初に挟持具１０に挟んであった紐２０aの端を引き出して、ガイド１１・１２・１３・１４・１５・１６・１７・１８に掛け終えた紐２０aの端とで仮に結束しておき、古紙５の収納結束時には、図７に示すようにガイド１１・１２・１３・１４・１５・１６・１７・１８から外して十文字に結束するのであり、各ガイドが収納箱１の外面に設けてあるために操作が容易である。
【手続補正書】
【提出日】平成18年11月30日(2006.11.30)
【手続補正１】
【補正対象書類名】特許請求の範囲
【補正対象項目名】請求項１
【補正方法】変更
【補正の内容】
【請求項１】
中空直方体の上面を開口し、側板と底板で構成した収納器に対し、古紙を積み重ねて収納し、収納後に結束して取り出すために、直方体の収納器の各側板の上端から底板に向けて溝を設け、結束用の紐を前もって溝、側板の上端、側板に添わせて準備し、収納後に古紙を十文字に結束する構造の古紙収納結束器において、各側板の中央部に側板の上端から底板に向かって溝を設けるとともに、対面する双方の側板に設けた溝間を結ぶ位置で、側板、底板を分割することにより、収納器を二分割し、分割された位置で底板どうしを屈曲機能を有する部材で継合し、しかも、底板が分割された位置に近接し、双方の底板に設けられ開口量を規制するようにした台板（２４）を収納器の支持点とし、継合部分が屈曲することにより、２分割された収納器の上面どうしが開閉口が可能になるとともに、開閉口を規制する機構を設けて、古紙を収納する前には閉口状態に固定し、予め、結束用の紐を収納器の側板のガイドに掛けて準備し、収納を終えて結束する時に規制機構を解除して開口させ、準備していた紐で結束して古紙を取り出すことを特徴とする古紙収納結束器。
【手続補正２】
【補正対象書類名】特許請求の範囲
【補正対象項目名】請求項２
【補正方法】変更
【補正の内容】
【請求項２】
収納器（１）の外面に結束用紐の端を挟む挟持具（１０）及び側板（２ａ）の上端と側板（２ａ）に設けた溝に近接してガイド（１１）を固設し、同様に側板（２ａ）、側板（２ｂ）、側板（２ｃ）、側板（２ｄ）の各側板の上端、各側板に設けた溝、底板（３）の上面などに近接して各ガイドを固設し、古紙（５）を収納する前に各ガイドに結束用の紐（２０ａ）を仕掛けて準備し、収納後に各ガイドから外して、十文字に結束するためのガイドを設けたことを特徴とする請求項１に記載の古紙収納結束器。
【手続補正３】
【補正対象書類名】明細書
【補正対象項目名】００１５
【補正方法】変更
【補正の内容】
【００１５】
図１は、結束した古紙５を取り出す機能を主体にして説明する本発明の古紙収納結束器の斜視図であって、開口した中空直方体の収納器１の側板２ａ、側板２ｂ、側板２ｃ、側板２ｄの中央部に各上端から底板３に向けて溝４ａ、溝４ｂ、溝４ｃ、溝４ｄを設け、側板２ｂに設けた溝４ｂとそれに対面する側板２ｄに設けた溝４ｄ間を結ぶ位置で底板３、側板２ｂ、側板２ｄを分割し、つまり、底板３の中央の位置で収納器１を２分割し、２分割された収納器１を底板３の位置で蝶番２３で継合して、結局は収納器１の側板２ａ側と側板２ｃ側が、底板３を支えるとともに開口量を規制する台板２４を収納器１の支持点として、蝶番２３を支点に屈曲することにより、開閉口が自在になるが、古紙５を収納中は側板２ｄと２ｂの双方に装備したフック２１とフック止２２を継合させ、収納器１の上端の開口を抑止している。
【手続補正４】
【補正対象書類名】明細書
【補正対象項目名】００１７
【補正方法】変更
【補正の内容】
【００１７】
図２は、古紙５を収納中の状態を示し、分割された底板３において蝶番２３で継合された収納器１を、フック保持具２５を回動するフック２１がフック止２２に継合し、収納器１の側板２ｃや上端８ａや反対側の上端（６ｂ）などの部分と側板２ａや上端８ｂや上端（６ａ）などの部分の開閉口を抑止している。
【手続補正５】
【補正対象書類名】明細書
【補正対象項目名】００１８
【補正方法】変更
【補正の内容】
【００１８】
図３は、古紙５を結束し、収納器１から取り出す時の状態を示し、フック２１をフック止２２から外すことにより側板２ｃ、上端８ａ、反対側の上端（６ｂ）の各部分と側板２ａや上端（８ｂ）、反対側の上端６ａの各部分のそれぞれ側が、蝶番２３が屈曲して開口することにより、収納器１の内面と結束した古紙５との接触面が減少し、抵抗を少なくして古紙５を取り出し出来る。
【手続補正６】
【補正対象書類名】明細書
【補正対象項目名】００２２
【補正方法】変更
【補正の内容】
【００２２】
図６は、一本の紐２０ａで結束する方法と構造を示す斜視図であり、収納器１の側板２ａの外面の端に挟持具１０を設け、さらに各側板の外面において、上端９ｂと溝４ａに近接してガイド１１を固設し、同様に底板３の上面と溝４ａに近接してガイド１２、底板３の上面と溝４ｃに近接してガイド１３，上端７ｂと溝４ｃに近接してガイド１４，上端８ａと溝４ｄに近接してガイド１５，底板３の上面と溝４ｄに近接してガイド１６、底板３の上面と溝４ｂに近接してガイド１７、上端６ａと溝４ｂに近接してガイド１８などを棒状に突出させてそれぞれ固設して、古紙５を収納する前に予め結束用の紐２０ａの先端を挟持具１０に挟んでから、先ずガイド１１に掛け、順次にガイド１８まで掛け終えて紐２０ａの先端どうしを仮結びして収納の準備をするのであって、収納完了後には各ガイドから外して結束するのであるが、この様に上端、底板、溝に近接してガイドを設けるのは、古紙５を結束する時の実際の紐２０ａの位置に近づけ、仕掛けの紐２０ａとの長さの差を小さくするためであって、収納器１の側板の板厚などによる誤差は、各部分とガイドの近接度合いで調整されるのであり、詳細な紐２０ａの掛け方を図６に基づき説明すると、次の通りである。
【手続補正７】
【補正対象書類名】明細書
【補正対象項目名】００２４
【補正方法】変更
【補正の内容】
【００２４】
次に、ガイド１５からガイド１６の下部に掛け、溝４ｄに通してから底板３の上面に這わせ、対面する溝４ｂに通してガイド１７の下部に掛け、さらに、ガイド１８の上面に掛けてから上端６ａに沿って挟持具１０に至り、次に最初に挟持具１０に挟んであった紐２０ａの端を引き出して仮結束しておき、古紙５の収納結束時には、図７に示すように各ガイドから外して十文字に結束するのであり、各側板の外面に各ガイドを突出して設けるのは、紐２０ａを仕掛けたり、取り外す操作が容易だからである。
【手続補正８】
【補正対象書類名】明細書
【補正対象項目名】００２５
【補正方法】変更
【補正の内容】
【００２５】
図８，図９，図１０は、中空直方体の上面を開口し、側板と底板で構成され、各側板に溝を有する収納器において、結束された古紙５を収納器１から取り出すときの抵抗を小さくする他の方法であって、収納器１の四面の各側板の中央部に、上端から底板３に達する溝を設け、各相隣の側板の溝と溝を結ぶ位置で底板３を分割することにより、収納器１の四隅が分割されるが、分割された位置で底板３を蝶番２７で継合するとともに、屈曲可能にし、収納器１の四隅を構成する上端９ｂと上端６ａ、上端６ｂと上端７ａ、上端７ｂと上端８ａ、上端８ｂと上端９ａの各部分が、個々に底板３を支える台板２６を基準にし、蝶番２７を支点に開閉口するようになっていて、古紙５を収納中は、収納器１が直方体の形状を維持するために、側板２ａ，側板２ｂ、側板２ｃ、側板２ｄに設けた各フック２１とフック止２２を継合している。
【手続補正９】
【補正対象書類名】明細書
【補正対象項目名】００２６
【補正方法】変更
【補正の内容】
【００２６】
古紙５を結束して取り出す時には、各側板に設けたフック２１とフック止２２の継合状態を解除して、収納器１の四隅を開口することにより、古紙５と収納器１の各側板の内面が離れ、古紙５の取り出しが容易になる。